【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
第１の発光素子と、第２の発光素子と、カラーフィルターとを有し、
前記カラーフィルターは、第１の着色層と、第２の着色層とを有し、
前記第１の着色層によって、前記第１の発光素子から発せられる第１の光のうち、第１の波長領域の光が取り出され、
前記第２の着色層によって、前記第２の発光素子から発せられる第２の光のうち、第２の波長領域の光が取り出され、
前記第１の発光素子及び前記第２の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項２】
赤色の光を発する第１の発光素子と、緑色の光を発する第２の発光素子と、青色の光を発する第３の発光素子と、カラーフィルターとを有し、
前記カラーフィルターは、赤色の光を選択的に透過する第１の着色層と、緑色の光を選択的に透過する第２の着色層と、青色の光を選択的に透過する第３の着色層とを有し、
前記第１乃至第３の発光素子は、前記第１乃至第３の着色層にそれぞれ対応しており、
前記第１乃至第３の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項３】
赤色の光を発する第１の発光素子と、緑色の光を発する第２の発光素子と、青色の光を発する第３の発光素子と、カラーフィルターとを有し、
前記カラーフィルターは、赤色の光を選択的に透過する第１の着色層と、緑色の光を選択的に透過する第２の着色層と、青色の光を選択的に透過する第３の着色層とを有し、
前記第１乃至第３の発光素子は、前記第１乃至第３の着色層にそれぞれ対応しており、
前記赤色の光は、前記第１の着色層によって色純度が高められ、
前記緑色の光は、前記第２の着色層によって色純度が高められ、
前記青色の光は、前記第３の着色層によって色純度が高められ、
前記第１乃至第３の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項４】
赤色の光を発する第１の発光素子と、緑色の光を発する第２の発光素子と、青色の光を発する第３の発光素子と、カラーフィルターとを有し、
前記カラーフィルターは、赤色の光を選択的に透過する第１の着色層と、緑色の光を選択的に透過する第２の着色層と、青色の光を選択的に透過する第３の着色層と、遮蔽膜とを有し、
前記第１乃至第３の発光素子は、前記第１乃至第３の着色層にそれぞれ対応しており、
前記第１乃至第３の発光素子は、隔壁によって分離されており、
前記遮蔽膜は、前記隔壁と重なっており、
前記第１乃至第３の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項５】
第１乃至第３の発光素子と、カラーフィルターとを有し、
前記カラーフィルターは、前記第１乃至第３の発光素子とそれぞれ対応する第１乃至第３の着色層を有し、
前記第１の発光素子から発せられる光は第１のスペクトルを有し、
前記第２の発光素子から発せられる光は第２のスペクトルを有し、
前記第３の発光素子から発せられる光は第３のスペクトルを有し、
前記第１の着色層は前記第１のスペクトルを示す第１の波長領域の光を選択的に取り出すことができ、
前記第２の着色層は前記第２のスペクトルを示す第２の波長領域の光を選択的に取り出すことができ、
前記第３の着色層は前記第３のスペクトルを示す第３の波長領域の光を選択的に取り出すことができ、
前記第１乃至第３の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項６】
第１乃至第３の発光素子と、カラーフィルターとを有し、
前記カラーフィルターは、前記第１乃至第３の発光素子とそれぞれ対応する第１乃至第３の着色層を有し、
前記第１の発光素子から発せられる赤色の光は第１のスペクトルを有し、
前記第２の発光素子から発せられる緑色の光は第２のスペクトルを有し、
前記第３の発光素子から発せられる青色の光は第３のスペクトルを有し、
前記第１の着色層は前記第１のスペクトルを示す第１の波長領域の光を選択的に取り出すことができ、
前記第２の着色層は前記第２のスペクトルを示す第２の波長領域の光を選択的に取り出すことができ、
前記第３の着色層は前記第３のスペクトルを示す第３の波長領域の光を選択的に取り出すことができ、
前記第１乃至第３の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項７】
第１乃至第３の発光素子と、カラーフィルターとを有し、
前記カラーフィルターは、前記第１乃至第３の発光素子とそれぞれ対応する第１乃至第３の着色層を有し、
前記第１の発光素子から発せられる第１の光は第１のスペクトルを有し、
前記第２の発光素子から発せられる第２の光は第２のスペクトルを有し、
前記第３の発光素子から発せられる第３の光は第３のスペクトルを有し、
前記第１の着色層によって、前記第１の光のうち、前記第１のスペクトルを示す第１の波長領域の光を選択的に取り出すことができ、
前記第２の着色層によって、前記第２の光のうち、前記第２のスペクトルを示す第２の波長領域の光を選択的に取り出すことができ、
前記第３の着色層によって、前記第３の光のうち、前記第３のスペクトルを示す第３の波長領域の光を選択的に取り出すことができ、
前記選択的に取り出された光は、それぞれ第１乃至第３の光よりも色純度が高められており、
前記第１乃至第３の発光素子は、第１の電極と、前記第１の電極上に形成された電界発光層と、前記電界発光層上に形成された第２の電極とをそれぞれ有し、
前記電界発光層のうち、前記第２の電極に接する層には、金属酸化物またはベンゾオキサゾール誘導体が含まれていることを特徴とする発光装置。
【請求項８】
第１の発光素子と、第２の発光素子と、カラーフィルターとを有し、
前記カラーフィルターは、第１の着色層と、第２の着色層とを有し、
前記第１の着色層によって、前記第１の発光素子から発せられる第１の光のうち、第１の波長領域の光が取り出され、
前記第２の着色層によって、前記第２の発光素子から発せられる第２の光のうち、第２の波長領域の光が取り出され、
前記第１の発光素子及び前記第２の発光素子は、第１の電極と、前記第１の電極上に形成された電界発光層と、前記電界発光層上に形成された第２の電極とを有し、
前記電界発光層のうち、前記第２の電極に接する層には、金属酸化物またはベンゾオキサゾール誘導体が含まれていることを特徴とする発光装置。
【請求項９】
第１の発光素子と、第２の発光素子と、カラーフィルターとを有し、
前記カラーフィルターは、第１の着色層と、第２の着色層とを有し、
前記第１の着色層によって、前記第１の発光素子から発せられる第１の光のうち、第１の波長領域の光が取り出され、
前記第２の着色層によって、前記第２の発光素子から発せられる第２の光のうち、第２の波長領域の光が取り出され、
前記取り出された光は、それぞれ第１または第２の光よりも色純度が高められており、
前記第１の発光素子及び前記第２の発光素子は、第１の電極と、前記第１の電極上に形成された電界発光層と、前記電界発光層上に形成された第２の電極とを有し、
前記電界発光層のうち、前記第２の電極に接する層には、金属酸化物またはベンゾオキサゾール誘導体が含まれていることを特徴とする発光装置。
【請求項１０】
第１の発光素子と、第２の発光素子と、カラーフィルターとを有し、
前記カラーフィルターは、第１の着色層と、第２の着色層とを有し、
前記第１の発光素子から発せられる第１の光のスペクトルと、前記第２の発光素子から発せられる第２の光のスペクトルとは異なっており、
前記第１の着色層によって、前記第１の光のうち、第１の波長領域の光が取り出され、
前記第２の着色層によって、前記第２の光のうち、第２の波長領域の光が取り出され、
前記第１の発光素子及び前記第２の発光素子は、第１の電極と、前記第１の電極上に形成された電界発光層と、前記電界発光層上に形成された第２の電極とを有し、
前記電界発光層のうち、前記第２の電極に接する層には、金属酸化物またはベンゾオキサゾール誘導体が含まれていることを特徴とする発光装置。
【請求項１１】
請求項１乃至請求項１０のいずれか１項において、前記金属酸化物は、モリブデン酸化物、バナジウム酸化物、ルテニウム酸化物、タングステン酸化物のいずれか一であることを特徴とする発光装置。
【請求項１２】
請求項１乃至請求項１１のいずれか１項において、前記第１の電極は陰極、前記第２の電極は陽極であり、前記第２の電極は透明導電膜を用いていることを特徴とする発光装置。
【請求項１３】
請求項１２において、前記電界発光層のうち、前記第２の電極に接する層には、前記ベンゾオキサゾール誘導体に加え、ＴＣＮＱ、ＦｅＣｌ３、Ｃ６０またはＦ４−ＴＣＮＱのいずれか一または複数が含まれていることを特徴とする発光装置。
【請求項１４】
請求項１２において、前記電界発光層のうち、前記第２の電極に接する層には、前記金属酸化物に加え、芳香族アミンが含まれていることを特徴とする発光装置。
【請求項１５】
請求項１乃至請求項１１のいずれか１項において、前記第１の電極は陽極、前記第２の電極は陰極であり、前記第２の電極は透明導電膜を用いていることを特徴とする発光装置。
【請求項１６】
請求項１５において、前記電界発光層のうち、前記第２の電極に接する層には、前記金属酸化物または前記ベンゾオキサゾール誘導体に加え、アルカリ金属、アルカリ土類金属、または遷移金属のいずれか一または複数が含まれていることを特徴とする発光装置。
【請求項１７】
請求項１２乃至請求項１６のいずれか１項において、前記透明導電膜は、ＩＴＯ、ＩＴＳＯ、ＩＺＯのいずれかであることを特徴とする発光装置。